(57)【要約】【課題】一次放射器を追加、あるいは一次放射器の位置調整を行う場合、それ以前に設定した一次放射器の位置がずれることなく、その位置調整を簡単、かつ確実に行うことができ、設置作業の負担軽減や効率化を図られる電波レンズアンテナ装置を提供する。【解決手段】半球状のルーネベルグレンズと、前記ルーネベルグレンズと組み合わせて電波を反射させる電波反射板と、前記ルーネベルグレンズの焦点部に配置された２つ以上の一次放射器と、前記２つ以上の一次放射器の各々を保持するマストからなる電波レンズアンテナ装置であって、前記マストの各々が、レンズの中心を通る１つの軸線を共通の回転軸とし、回転支点の位置にある保持部で、互いに独立して、前記電波反射板に固定される構造を有することを特徴とする電波レンズアンテナ装置。【選択図】    図１
2008271003.tif 000002
【特許請求の範囲】
【請求項１】
半球状のルーネベルグレンズと、前記ルーネベルグレンズと組み合わせて電波を反射させる電波反射板と、前記ルーネベルグレンズの焦点部に配置された２つ以上の一次放射器と、前記２つ以上の一次放射器の各々を保持するマストからなる電波レンズアンテナ装置であって、
前記マストの各々が、レンズの中心を通る１つの軸線を共通の回転軸とし、回転支点の位置にある保持部で、互いに独立して、前記電波反射板に固定される構造を有することを特徴とする電波レンズアンテナ装置。
【請求項２】
前記マストが、回転軸固定用穴およびマスト固定用長穴を有し、前記マスト固定用長穴は、回転軸固定用穴を中心とした同心円の円周上に設けられていることを特徴とする請求項１に記載の電波レンズアンテナ装置。
【請求項３】
前記マストが、切り欠き部を有する回転軸固定用穴および前記切り欠き部に設けられた回転固定ボルト締め手段を有しており、前記回転固定ボルト締め手段の回転固定ボルトの締め付けにより前記回転軸を挟み込み、マストの回転を固定する構造を有していることを特徴とする請求項１に記載の電波レンズアンテナ装置。
【発明の詳細な説明】
【技術分野】
【０００１】
本発明は、静止衛星や地上の固定アンテナからの放送・通信電波を受信、または、それらの衛星やアンテナに向けて電波を送信するのに用いるルーネベルグレンズを使用した電波レンズアンテナ装置に関する。
【背景技術】
【０００２】
一般的に、静止衛星との通信には、パラボラアンテナが用いられているが、パラボラアンテナは、基本的に一方向からの電波の通信にしか対応できず、複数の衛星との通信を同時に行うことができない。また、アンテナの設置に際しての設定が非常に難しい上に、アンテナ面にかかる風圧をマストで支えるため、強風時にはマストがしなり、受信障害を起こすこともある。また、強固なマストを設置するとコストや景観面での問題が生じる。
【０００３】
複数の通信相手（衛星）との同時通信を可能にするマルチビームを有したアンテナ装置であるルーネベルグレンズを用いた電波レンズアンテナ装置が、パラボラアンテナに代わる衛星通信用アンテナ装置等として提供されている。前記の電波レンズアンテナ装置は、縦横水平自由に設置でき、しかも耐風性に優れているので、家庭で壁面やベランダの側面、屋根の上など、外観を損なわない場所へ簡単に設置できる。
【０００４】
ルーネベルグレンズを用いた電波レンズアンテナ装置は、一般的に、反射板を直接、設置場所にねじ止めしたり、吊りかけたりして取り付けられる。そして、一次放射器が、保持する保持具（以下、マストとも言う）の角度や、保持具上での一次放射器の位置を調整して、ルーネベルグレンズの焦点部に設置されるため、反射板そのものを調整する必要がなく、反射板を壁面や柵等に安定的に固定することができる。
【０００５】
しかし、前記したように、複数の静止衛星との通信を行う場合には、複数の一次放射器を設置する必要があるが、設置しようとしている場所の状況に対応して、アンテナ装置の受信ビームを複数の通信衛星に向けるように、一次放射器をそれぞれの焦点部に位置決めしなければならず、その位置調整が煩雑であった。この問題を解決し、一次放射器を電波レンズの焦点部へ設置する際、一次放射器の位置調整を簡単かつ確実に行う方法が特許文献１に開示されている。
【特許文献１】特開２００４−３２０７５０号公報
【発明の開示】
【発明が解決しようとする課題】
【０００６】
しかし、従来は、一次放射器を取り付けたマストの各々を、互いに共通する回転軸固定ボルトおよびマスト固定ボルトを用いて保持金具に固定し、前記保持金具をアンテナに固定していた。
【０００７】
これを、図６を用いて、具体的に説明する。なお、容易な理解のために、図６では、一次放射器（図示せず）およびマストの数が各々２つの場合を例に挙げて説明する。また、以下、最初に固定される一次放射器およびマストを、それぞれ、標準一次放射器および標準マストと言い、追加して固定される一次放射器およびマストを、それぞれ、オプション一次放射器およびオプションマストと言う。なお、図６において、１は電波反射板であり、２はルーネベルグレンズである。
【０００８】
従来は、標準一次放射器を取り付けた標準マスト４、およびオプション一次放射器を取り付けたオプションマスト８を、回転軸固定ボルト６と、オプションマスト固定ボルト１０を兼用する標準マスト固定ボルト７とで、保持金具３に取り付ける形で、２つの一次放射器を焦点部に設置していた。
【０００９】
即ち、２本のマストは、共通する同じ２本のボルトで固定されるため、標準マストにオプションマストを追加固定する場合、あるいはオプションマストの位置調整を行う場合には、２本のボルトを弛めて調整を行わざるを得ず、その際、標準マストの位置がずれるおそれがあり、その結果、以前に調整した標準一次放射器の位置がずれてしまうおそれがあった。
【００１０】
本発明は、通信相手の静止衛星が複数の場合でも、それぞれの通信衛星に対する一次放射器を追加固定する場合、あるいは一次放射器の位置調整を行う場合、それ以前に設定した一次放射器の位置がずれることなく、その位置調整を簡単、かつ確実に行うことができ、設置作業の負担軽減や効率化を図ることができる電波レンズアンテナ装置を提供することをその課題とする。
【課題を解決するための手段】
【００１１】
本発明は、以上の課題を解決するためになされたものであり、設置作業の容易化を図った電波レンズアンテナ装置を可能にするものである。
【００１２】
請求項１に記載の発明は、
半球状のルーネベルグレンズと、前記ルーネベルグレンズと組み合わせて電波を反射させる電波反射板と、前記ルーネベルグレンズの焦点部に配置された２つ以上の一次放射器と、前記２つ以上の一次放射器の各々を保持するマストからなる電波レンズアンテナ装置であって、
前記マストの各々が、レンズの中心を通る１つの軸線を共通の回転軸とし、回転支点の位置にある保持部で、互いに独立して、前記電波反射板に固定される構造を有することを特徴とする電波レンズアンテナ装置である。
【００１３】
本請求項の発明によれば、各マストが互いに独立して固定される構造を有しているため、一次放射器を追加固定する場合、あるいは一次放射器の位置調整を行う場合、それ以前に設定した一次放射器の位置がずれることなく、位置調整を簡単、かつ確実に行うことができ、設置作業の負担軽減や効率化を図ることができる。
【００１４】
本請求項の発明においては、前記２つ以上のマストが互いに独立して保持部に固定される構造を有している。
ここで「互いに独立して固定される構造」とは、マストを追加固定する際、その作業を、それ以前に装着・固定された他のマスト（即ち、一次放射器）の固定を緩めることなく行うことができる構造を意味している。
【００１５】
以下にボルトを用いて固定した場合の具体的な固定方法について説明する。
例えば、２つの一次放射器を電波レンズの焦点部に固定する場合、標準マストの他に、オプションマストを設け、３本の固定用ボルトで固定する。１本は、両マストを回転軸に固定する各マストに共通のボルト（以下、回転軸固定ボルトと言う）であり、他の２本は、それぞれのマストの位置を固定する各マストに固有のボルト（以下、位置固定ボルトと言う）である。
【００１６】
新規にマストを追加固定する場合、まず、標準マストの回転軸に配置した回転軸固定ボルトを緩めて取り外し、標準マストおよびオプションマストの回転軸固定用穴を重ねて、回転軸固定ボルトを取り付ける。このとき、標準マストの位置固定ボルトは緩める必要がないため、標準マストの設定がずれることがない。オプションマストの位置を決定したら、共通の回転軸固定ボルトおよびオプションマストの位置固定ボルトを締めて、オプションマストを固定する。
【００１７】
また、オプションマストの位置調整を行う場合には、回転軸固定ボルトおよびオプションマストの位置固定ボルトを緩めて位置調整を行う。このとき、標準マストの位置固定ボルトは緩める必要がないため、標準マストの設定がずれることがない。
【００１８】
以上のように、回転軸に配置した共通の回転軸固定ボルトと特定のマストを固定している固有の位置固定ボルトのみを緩め、マスト固定用長穴を利用して、特定マストを回転軸の周りに回転させて位置を修正し、位置修正後、共通の回転軸固定ボルトおよび特定のマストの位置固定ボルトを締め、変更作業を終える。
この間、他のマストはそれぞれ各マストの位置固定ボルトで固定されているので位置ずれを生じることがない。
【００１９】
請求項２に記載の発明は、
前記マストが、回転軸固定用穴およびマスト固定用長穴を有し、前記マスト固定用長穴は、回転軸固定用穴を中心とした同心円の円周上に設けられていることを特徴とする請求項１に記載の電波レンズアンテナ装置である。
【００２０】
本請求項の発明においては、各マストは、回転軸固定用穴およびマスト固定用長穴を有している。回転軸固定用穴は、回転軸固定ボルトを通す穴であり、前述したように、全てのマストにおいて共通の位置にある。マスト固定用長穴は、位置固定ボルトを通す穴であり、各マストでその位置は異なる。
【００２１】
本請求項の発明においては、複数のマストを保持部に固定するためのボルト（位置固定ボルト）を取り付けるマスト固定用長穴を、回転軸固定用穴を中心とした同心円上に設けることにより、比較的簡単な構造で各マストそれぞれを独立で固定する位置固定ボルトを配置することができる。
また、対象となる複数の衛星が決まっていれば、各一次放射器の相対的な位置関係が決まり、マストの位置調整の自由度がある程度限定できるため、前記マスト固定用長穴を回転軸固定用穴を中心とした同一円の円周上に設けて、マスト固定部をより小さくすることができる。マスト固定部を小さくすることにより、材料コストの低減、マスト全体の質量の低減を図ることができる。
【００２２】
請求項３に記載の発明は、
前記マストが、切り欠き部を有する回転軸固定用穴および前記切り欠き部に設けられた回転固定ボルト締め手段を有しており、前記回転固定ボルト締め手段の回転固定ボルトの締め付けにより前記回転軸を挟み込み、マストの回転を固定する構造を有していることを特徴とする請求項１に記載の電波レンズアンテナ装置である。
【００２３】
本請求項の発明においては、各マストは、回転軸固定用穴および回転固定ボルト締め手段を有している。回転軸固定用穴は、回転軸を通す穴であり、切り欠き構造となっている。回転固定ボルト締め手段は、回転軸固定用穴の切り欠き部に設けられており、回転固定ボルトを締め付けることにより、回転軸固定用穴の大きさが小さくなり、回転軸を挟み込んでマストの位置を固定する。
なお、回転軸は、例えば、電波反射板に固定された保持金具に設けられている。
【００２４】
本請求項の発明においては、各マストは、切り欠き部を有する回転軸固定用穴と回転固定ボルト締め手段を有しているという極めて簡便な構造であり、さらに、ボルトを締め付けるだけで、回転軸に各マストを容易に取り付けることができる。
そして、回転軸固定用穴が回転軸を挟み込む構造となっているため、マストの位置調整の自由度が制限されることがない。
また、各マストの保持部は、同じ形状でよく、標準マスト、オプションマストと構造を変える必要がない。
【００２５】
なお、回転軸の先端部に、回転軸固定ナット取り付け用のネジを切っておくと、マストの位置が固定された後に、回転軸固定ナットを取り付けることにより、マストを確実に回転軸に固定することができる。
【発明の効果】
【００２６】
本発明においては、通信相手の静止衛星が複数の場合でも、それぞれの通信衛星に対する一次放射器を追加固定する場合、あるいは一次放射器の位置調整を行う場合、それ以前に設定した一次放射器の位置がずれることなく、その位置調整を簡単、かつ確実に行うことができ、設置作業の負担軽減や効率化を図ることができる電波レンズアンテナ装置を提供することができる。
【発明を実施するための最良の形態】
【００２７】
以下、本発明をその最良の実施の形態に基づいて説明する。なお、本発明は、以下の実施形態に限定されるものではない。本発明と同一および均等の範囲内において、以下の実施の形態に対して種々の変更を加えることが可能である。
【００２８】
（実施の形態１）
本発明に係る電波レンズアンテナ装置において、２つの一次放射器を電波レンズの焦点部に固定する場合について、図１〜図４を用いて説明する。ここで、図１は、本発明に係る電波レンズアンテナ装置をマスト固定部側から見た正面図であり、図２は、図１におけるマスト固定部の拡大斜視図である。また、図３は、標準マストのマスト固定部を説明する図であり、図４は、オプションマストのマスト固定部を説明する図である。なお、全ての図は、本発明の理解を容易にするための模式図であって、また本発明とは関係しない事項は、図示していない。
【００２９】
図１において、１は電波反射板であり、２はルーネベルグレンズである。標準一次放射器（図示せず）は、標準マスト４に取り付けられて、標準一次放射器としての焦点部に設定されており、また、オプション一次放射器（図示せず）は、オプションマスト８に取り付けられて、オプション一次放射器としての焦点部に設定されている。
【００３０】
標準マスト４には、図３に示すように、回転軸に固定するための回転軸固定用穴４ａおよび回転軸を中心に円弧状の標準マスト固定用長穴４ｂを設けてある。さらに、図１に示すオプションマスト固定ボルト１０を通すためのオプションマスト固定用貫通長穴４ｃが設けられている。
【００３１】
一方、オプションマスト８には、図４に示すように、回転軸に固定するためのオプションマスト回転軸固定用穴８ａおよび回転軸を中心に円弧状のオプションマスト固定用長穴８ｂを設けてある。
【００３２】
図２に示すように、標準マスト４は、標準マスト回転軸固定ボルト６および標準マスト位置固定ボルト７により保持金具３に固定され、またオプションマスト８は、標準マストと共通の標準マスト回転軸固定ボルト６およびオプションマスト位置固定ボルト１０により保持金具３に固定される。
【００３３】
以上のように、マストの回転軸を中心とした円弧状の長穴を、それぞれ異なる位置に設けているため、標準マスト４およびオプションマスト８それぞれのマストが、別々のボルトで保持金具３に固定でき、それぞれの一次放射器の焦点部への設置を独立して調整することが可能となる。
【００３４】
また、オプションマスト８は、先に取り付けられる標準マスト位置固定ボルト７の頭と構造的に干渉しない形状を備えている。そのため、標準マスト４の固定を緩めることなく、オプションマスト８を固定することができる。
【００３５】
（実施の形態２）
他の実施の形態について、図５を用いて説明する。図５において、（ａ）は、本実施の形態における個々のマストの形状を示し、（ｂ）は、前記マストの２本を固定した時の状態を示している。
【００３６】
本実施の形態においては、各マストは、切り欠き部を有する回転軸固定用穴４ｄおよび回転固定ボルト締め手段を有している。回転軸固定用穴４ｄは、回転軸１３を通す穴である。回転軸１３は、電波反射板１に固定された保持金具３に設けられている。回転固定ボルト締め手段は、回転軸固定用穴４ｄの切り欠き部に設けられており、回転固定ボルト１１を締め付けることにより、回転軸固定用穴４ｄの大きさが小さくなり、回転軸１３を挟み込んでマストの位置が固定される。
本実施の形態においては、回転軸固定用穴が、回転軸を挟み込む構造となっているため、マストの位置調整の自由度が制限されることがない。
【００３７】
各実施の形態は、２個の一次放射器を、２本のマストで保持金具に固定する場合について行ったが、３個以上の一次放射器を固定する場合についても、前記オプションマストと同様にすればよい。
【００３８】
本発明の電波レンズアンテナ装置は、複数の一次放射器を取り付けたマストを、別々のボルトにより固定できるため、標準マストを固定した状態で、オプションマストの位置を調整することが可能となり、アンテナ装置の設置調整が簡単、確実にできる。
【図面の簡単な説明】
【００３９】
【図１】本発明に係る電波レンズアンテナ装置をマスト固定部から見た正面図である。
【図２】図１のマスト固定部の拡大斜視図である。
【図３】図１の標準マストのマスト固定部を説明する図である。
【図４】図１のオプションマストのマスト固定部を説明する図である。
【図５】本発明に係る電波レンズアンテナ装置の他の例のマストとその組み合わせを説明する図である。
【図６】従来の電波レンズアンテナ装置をマスト固定部から見た正面図である。
【符号の説明】
【００４０】
１      電波反射板
２      ルーネベルグレンズ
３      保持金具
４      標準マスト
４ａ    回転軸固定用穴
４ｂ    標準マスト固定用長穴
４ｃ    オプションマスト固定用貫通長穴
４ｄ    切り欠き部を有する回転軸固定用穴
６      標準マスト回転軸固定ボルト
７      標準マスト位置固定ボルト
８      オプションマスト
８ａ    オプションマスト回転軸固定用穴
８ｂ    オプションマスト固定用長穴
１０    オプションマスト位置固定ボルト
１１    回転固定ボルト
１２    回転軸固定ナット
１３    回転軸
【図１】
2008271003.tif 000003
【図２】
2008271003.tif 000004
【図３】
2008271003.tif 000005
【図４】
2008271003.tif 000006
【図５】
2008271003.tif 000007
【図６】
2008271003.tif 000008